(57)【要約】【課題】  ブレースが座屈するのを防いで、座屈による耐力低下を生じさせないブレース構造を提供する。【解決手段】  ブレース４の両端が、ブレース４の座屈に先行して塑性変形を起こす先行塑性変形材５を介して構造躯体３に連結されている。この場合に、先行塑性変形材５は鋼板からなり、該鋼板５が面内方向にせん断力を受けて前記先行塑性変形を起こすようになされているとよい。また、ブレース４の各端部に構造躯体３の柱１と梁２が存在し、該各端部が柱１と梁２のそれぞれに先行塑性変形材５，５を介して連結されているとなおよい。【選択図】      図１
2005068941.tif 000002
【特許請求の範囲】
【請求項１】
ブレースの両端が、ブレースの座屈に先行して塑性変形を起こす先行塑性変形材を介して構造躯体に連結されていることを特徴とするブレース構造。
【請求項２】
前記先行塑性変形材が鋼板からなり、該鋼板が面内方向にせん断力を受けて前記先行塑性変形を起こすようになされている請求項１に記載のブレース構造。
【請求項３】
ブレースの各端部に構造躯体の柱と梁が存在し、該各端部が柱と梁のそれぞれに先行塑性変形材を介して連結されている請求項１又は２に記載のブレース構造。
【発明の詳細な説明】
【技術分野】
【０００１】
本発明は、建物等各種構造物に用いられるブレース構造に関する。
【背景技術】
【０００２】
ブレースとして鋼管や形鋼などを用い、ブレースが引張りに耐えると共に圧縮にも耐えることで構造物の倒壊を防ぐようになされたブレース構造は従来より種々提供されている。
【発明の開示】
【発明が解決しようとする課題】
【０００３】
しかしながら、そのようなブレースであっても、構造物に大きな水平力が作用して一旦座屈を起こしてしまうと、それ以降、ブレースの耐力が極端に低下してしまうという問題がある。
【０００４】
本発明は、かかる問題点に鑑み、ブレースが座屈するのを防いで、座屈による耐力低下を生じさせないブレース構造を提供することを課題とする。
【課題を解決するための手段】
【０００５】
上記の課題は、ブレースの両端が、ブレースの座屈に先行して塑性変形を起こす先行塑性変形材を介して構造躯体に連結されていることを特徴とするブレース構造によって解決される。
【０００６】
このブレース構造では、水平力によってブレースに大きな圧縮力が作用しても、先行塑性変形材がブレースの座屈に先行して塑性変形を起こし、それによって、ブレースの座屈が防がれ、座屈によるブレースの耐力低下を防ぐことができる。
【０００７】
しかも、先行塑性変形材は、ブレースの両端のそれぞれに備えられているので、力が各端部に備えられた先行塑性変形材に分散され、各先行塑性変形材が塑性変形を起こしにくく、それによって、ブレースと各先行塑性変形材とをともに大きな水平力にしっかりと耐えうる構造にすることができ、剛性面に優れたブレース構造を実現することができる。
【０００８】
前記先行塑性変形材が鋼板からなり、該鋼板が面内方向にせん断力を受けて前記先行塑性変形を起こすようになされている場合は、各先行塑性変形材の耐力を大きなものにすることができ、先行塑性変形材をブレースの両端部に備えさせることとの組み合わせで、ブレースと各先行塑性変形材とを大きな水平力にしっかりと耐えうる構造にすることができ、しかも、それを簡素な構造で実現することができる。
【０００９】
ブレースの各端部に構造躯体の柱と梁が存在し、該各端部が柱と梁のそれぞれに先行塑性変形材を介して連結されているとよい。その場合は、先行塑性変形材がブレースの両端部に備えられていることとの組み合わせで、各先行塑性変形材の負担する力を小さくすることができ、それによって、ブレースと各先行塑性変形材とをともに大きな水平力にしっかりと耐えうる構造にすることができ、剛性面に優れたブレース構造を実現することができる。更に、先行塑性変形材が鋼板からなることとの組み合わせでは、各先行塑性変形材の耐力を大きなものにでき、ブレースと各先行塑性変形材とを大きな水平力にしっかりと耐えうる構造にすることができる。しかも、先行塑性変形材の塑性変形挙動やブレースへの力のかかり具合を力学的に安定したものにすることができる。
【発明の効果】
【００１０】
本発明は、以上のとおりのものであるから、ブレースの座屈を防いで、座屈によるブレースの耐力低下を防ぐことができる。
【発明を実施するための最良の形態】
【００１１】
次に、本発明の実施最良形態を図面に基づいて説明する。
【００１２】
図１及び図２に示す実施形態のブレース構造は、左右の鋼製柱１，１と上下の鋼製梁２，２とで構成された構造躯体３の内部にブレース４，４をＸ形に交差させて備えさせたものである。
【００１３】
各ブレース４，４は、引張りに耐えると共に圧縮にも耐えて構造物の倒壊を防ぐ作用を行う、例えば円形鋼管パイプからなっている。そして、各ブレース４，４の両端はそれぞれ、ブレース４，４の圧縮による座屈に先行して塑性変形を起こす先行塑性変形材５…を介して構造躯体３に連結されている。
【００１４】
本実施形態では、各先行塑性変形材５…が方形状の鋼板からなっていて、図２に拡大して示すように、鋼板５は、ブレース４の端部において、その両側にそれぞれ備えられ、各鋼板５，５は、その一辺がブレース４の延びる方向に向けられてブレース４の端部側面部に線溶接Ｗで取り付けられ、一方の鋼板５は、対向辺が柱１との継ぎ手部６に同じく線溶接Ｗで取り付けられると共に、もう一方の鋼板５は、対向辺が梁２との継ぎ手部７に同じく線溶接Ｗで取り付けられ、ブレース４に引張りや圧縮の軸方向力が作用すると、各鋼板５に面内方向のせん断力が作用するようになされている。なお、鋼板５の残る二辺には補強用のプレート８…が線溶接Ｗで取り付けられ、該プレート８…で、鋼板５がせん断変形時に面外方向に変形してしまうのがしっかりと規制されるようになされている。なお、プレート８，８部分と鋼板５部分とをＨ形鋼片で構成するようにしてもよい。
【００１５】
上記のブレース構造では、構造躯体３に、図１に示すような水平力Ｐが作用して、ブレース４に図３（イ）（ロ）に示すような軸方向力が作用すると、図３（イ）に示すように、ブレース４が座屈する前に、端部の鋼板５，５が塑性変形を起こし、それによって、ブレース４の座屈が防がれ、座屈によるブレース４の耐力低下を防ぐことができる。
【００１６】
しかも、本実施形態では、先行塑性変形材５…は、ブレース４の両端に備えられ、更に、各端部においてその両側に備えられているので、ブレース４に圧縮力が作用したときに、力が各先行塑性変形材５…に細かく分散され、各先行塑性変形材５…が塑性変形を起こしにくい。また、先行塑性変形材５…は鋼板からなり、鋼板は面内方向にせん断力を受けて塑性変形を起こすようになされており、更に、各鋼板５…はプレート８…で面外へのせん断塑性変形を規制される構造となっている。従って、ブレース４と各先行塑性変形材５…とをいずれも大きな水平力にしっかりと耐えうる構造にすることができ、剛性面に優れたブレース構造を実現することができる。
【００１７】
加えて、ブレース４の各端部が柱１と梁２のそれぞれに先行塑性変形材５，５を介して連結されているので、先行塑性変形材５の塑性変形挙動やブレース４への力のかかり具合を力学的に安定したものにすることができる。
【００１８】
以上に、本発明の実施形態を示したが、本発明はこれに限られるものではなく、発明思想を逸脱しない範囲で各種の変更が可能である。例えば、上記の実施形態では、Ｘ形ブレース構造に適用した場合を示しているが、Ｖ形ブレース構造や、斜め１本形ブレース構造等に適用することもできる。なお、Ｘ形ブレース構造の場合、各ブレースは交差部において連結されていてもよいし、連結されることなくフリーであってもよい。
【００１９】
また、上記の実施形態では、ブレース４が円形鋼管パイプからなる場合を示しているが、角形鋼管パイプからなっていてもよいし、山形鋼などの各種形鋼からなっていてもよく、要は、引張りに耐えると共に圧縮にも耐えて構造物の倒壊を防ぐ作用を行う構造を備えたブレースであればよい。
【図面の簡単な説明】
【００２０】
【図１】実施形態のブレース構造を示す正面図である。
【図２】同ブレース構造の要部拡大正面図である。
【図３】図（イ）（ロ）はそれぞれ先行塑性変形体の変形挙動を示す正面図である。
【符号の説明】
【００２１】
１…柱
２…梁
３…構造躯体
４…ブレース
５…鋼板（先行塑性変形材）
【図１】
2005068941.tif 000003
【図２】
2005068941.tif 000004
【図３】
2005068941.tif 000005